(57)【要約】【課題】回転アンテナの停止の検知を簡単にできて、製造コストを低減できる加熱調理器を提供する。【解決手段】加熱調理器は、ケーシングと、ケーシング内に設けられ、被加熱物を収容する加熱庫と、被加熱物を加熱するためのマイクロ波を発生するマグネトロン１１と、マイクロ波を加熱庫内に放射する回転アンテナと、回転アンテナを回転駆動する回転アンテナ用モータ１３と、加熱庫に取り付けられ、加熱庫内のマイクロ波の電界強度を検出する解凍センサ１４と、解凍センサ１４から加熱庫内のマイクロ波の電界強度を示す信号を受ける制御装置１００とを備える。この解凍センサ１４からの加熱庫内のマイクロ波の電界強度を示す信号に基づいて、回転アンテナの動作状態が検知されるので、回転アンテナの回転，停止を検知するためのだけのセンサを加熱庫に取り付けなくてもよい。【選択図】図４
2012102885.tif 000002
【特許請求の範囲】
【請求項１】
ケーシングと、
上記ケーシング内に設けられ、被加熱物を収容する加熱庫と、
上記被加熱物を加熱するための高周波を発生する高周波発生装置と、
上記高周波を上記加熱庫内に放射する回転アンテナと、
上記回転アンテナを回転駆動する駆動部と、
上記加熱庫に取り付けられ、上記加熱庫内の高周波の電界強度を検出する電界センサと、
上記電界センサから上記加熱庫内の高周波の電界強度を示す信号を受ける制御装置と
を備え、
上記制御装置は、上記加熱庫内の高周波の電界強度を示す信号に基づいて、上記回転アンテナの動作状態を検知する動作状態検知部を有することを特徴とする加熱調理器。
【請求項２】
請求項１に記載の加熱調理器において、
上記電界センサは、上記被加熱物の解凍状態を検出するための解凍センサであることを特徴とする加熱調理器。
【請求項３】
請求項１または２に記載の加熱調理器において、
上記制御装置は、上記動作状態検知部によって、上記回転アンテナの停止が検知されたときに、上記高周波発生装置を非常停止する非常停止部を有することを特徴とする加熱調理器。
【請求項４】
請求項１から３までのいずれか一項に記載の加熱調理器において、
上記制御装置は、上記動作状態検知部によって、上記回転アンテナの停止が検知されたときに、上記回転アンテナに問題が発生していることをユーザに報知する問題発生報知部を有することを特徴とする加熱調理器。
【発明の詳細な説明】
【技術分野】
【０００１】
本発明は加熱調理器に関する。
【背景技術】
【０００２】
従来、加熱調理器としては、特開２００８−２９２０８８号公報（特許文献１）に開示されたものがある。この加熱調理器は、マイクロ波を加熱庫内に放射する回転アンテナと、この回転アンテナを回転駆動する電動モータとをそれぞれ２個ずつ備えている。
【０００３】
上記各電動モータの回転軸には原点検出機構が設けられている。この原点検出機構は、回転軸に取り付けられた円板と、発光素子および受光素子を有するフォトインタラプタとで構成されている。
【０００４】
上記円板の外周縁部は発光素子と受光素子との間に位置し、この外周縁部には周方向に所定の間隔を空けて複数のスリットが設けられている。
【０００５】
上記フォトインタラプタは、発光素子の出射光が上記スリットを通過して受光素子に入射できるように配置されている。このフォトインタラプタは電動モータの回転軸の回転に応じた信号を制御装置へ出力する。
【０００６】
上記従来の加熱調理器であれば、回転アンテナの回転不良を検出できる。例えば、上記電動モータの故障により、回転アンテナが回転しなくなった場合、制御装置は、フォトインタラプタからの信号に基づいて、回転アンテナが回転していないことを検出できる。
【０００７】
別の言い方をすれば、上記回転アンテナの停止を検知するには、円板およびフォトインタラプタがそれぞれ２個ずつ必要である。
【０００８】
したがって、上記従来の加熱調理器には、回転アンテナの停止を検知するための部品の数は、円板の２個とフォトインタラプタの２個との合計４個と多いため、製造コストが高くなるという問題がある。
【先行技術文献】
【特許文献】
【０００９】
【特許文献１】特開２００８−２９２０８８号公報
【発明の概要】
【発明が解決しようとする課題】
【００１０】
そこで、本発明の課題は、回転アンテナの停止の検知を簡単にできて、製造コストを低減できる加熱調理器を提供することにある。
【課題を解決するための手段】
【００１１】
上記課題を解決するため、本発明の加熱調理器は、
ケーシングと、
上記ケーシング内に設けられ、被加熱物を収容する加熱庫と、
上記被加熱物を加熱するための高周波を発生する高周波発生装置と、
上記高周波を上記加熱庫内に放射する回転アンテナと、
上記回転アンテナを回転駆動する駆動部と、
上記加熱庫に取り付けられ、上記加熱庫内の高周波の電界強度を検出する電界センサと、
上記電界センサから上記加熱庫内の高周波の電界強度を示す信号を受ける制御装置と
を備え、
上記制御装置は、上記加熱庫内の高周波の電界強度を示す信号に基づいて、上記回転アンテナの動作状態を検知する動作状態検知部を有することを特徴としている。
【００１２】
上記構成によれば、上記動作状態検知部は、電界センサから加熱庫内の高周波の電界強度を示す信号に基づいて、回転アンテナの動作状態を検知する。したがって、上記加熱庫に電界センサを例えば１個取り付ければ、回転アンテナの動作状態を検知できる。その結果、上記回転アンテナの停止の検知を簡単にできて、製造コストを低減できる。
【００１３】
また、特開２００８−２９２０８８号公報に記載された従来の加熱調理器では、円板に対するフォトインタラプタの位置決めを正確に行う必要があるので、製造が困難である。
【００１４】
これに対して、本発明の加熱調理器の電界センサは、フォトインタラプタのような正確な位置決めをしなくてよい。したがって、本発明の加熱調理器は、上記従来の加熱調理器に比べて、製造が容易である。
【００１５】
一実施形態の加熱調理器では、
上記電界センサは、上記被加熱物の解凍状態を検出するための解凍センサである。
【００１６】
上記実施形態によれば、上記電界センサは、被加熱物の解凍状態を検出するための解凍センサであるので、加熱庫に取り付けるセンサの数が少なくなる。したがって、上記加熱調理器の製造コストを大きく下げることができる。
【００１７】
また、上記加熱庫に取り付けるセンサの数が少なくなるので、加熱庫周辺の空きスペースを増やすことができる。その結果、上記空きスペースに他の部品を設置できるので、設計の自由度が高い。
【００１８】
一実施形態の加熱調理器では、
上記制御装置は、上記動作状態検知部によって、上記回転アンテナの停止が検知されたときに、上記高周波発生装置を非常停止する非常停止部を有する。
【００１９】
上記実施形態によれば、上記動作状態検知部によって、回転アンテナの停止が検知されたときに、非常停止部が高周波発生装置を非常停止するので、回転アンテナが停止している状態で、被加熱物の加熱が継続しないようにして、被加熱物の局所加熱を防ぐことができる。
【００２０】
一実施形態の加熱調理器では、
上記制御装置は、上記動作状態検知部によって、上記回転アンテナの停止が検知されたときに、上記回転アンテナに問題が発生していることをユーザに報知する問題発生報知部を有する。
【００２１】
上記実施形態によれば、上記動作状態検知部によって、回転アンテナの停止が検知されたときに、問題発生報知部が回転アンテナに問題が発生していることをユーザに報知するので、ユーザにメンテナンスを促し、安全性を高めることができる。
【発明の効果】
【００２２】
本発明の加熱調理器によれば、制御装置が、加熱庫内の高周波の電界強度を示す信号に基づいて、上記回転アンテナの動作状態を検知する動作状態検知部を有するので、加熱庫内の高周波の電界強度を電界センサで検出するだけで、回転アンテナの停止の検知を簡単にできて、製造コストを低減できる。
【図面の簡単な説明】
【００２３】
【図１】図１は本発明の一実施形態の加熱調理器の模式斜視図である。
【図２】図２は上記加熱調理器の模式断面図である。
【図３】図３は図２の一部の拡大図である。
【図４】図４は上記加熱調理器の制御ブロック図である。
【図５】図５は上記加熱調理器の解凍センサの出力信号の波形図である。
【図６】図６は上記加熱調理器の解凍センサの出力信号の他の波形図である。
【図７】図７は上記加熱調理器の制御装置の制御を説明するためのフローチャートである。
【発明を実施するための形態】
【００２４】
以下、本発明の加熱調理器を図示の実施の形態により詳細に説明する。
【００２５】
図１は、本発明の一実施形態の加熱調理器を正面かつ斜め上方から見た模式図である。
【００２６】
上記加熱調理器は、直方体形状のケーシング１の正面に、左端側の辺を略中心に回動する扉２が取り付けられている。この扉２の右端部に取っ手部３を設けると共に、扉２の略中央に耐熱ガラス４を取り付けている。また、閉鎖時の扉２の右側には操作パネル５が位置するようになっている。この操作パネル５は、凍った被加熱物９（図２参照）を解凍するときに押す解凍ボタン６と、凍っていない被加熱物９を温めるときに押す温めボタン７と、被加熱物９の加熱時間を設定するためのダイヤル８とを有している。
【００２７】
図２は、上記加熱調理器を正面から見た模式断面図である。なお、図２の太矢印は、加熱庫１０内におけるマイクロ波の進行をイメージして描いた矢印である。
【００２８】
上記加熱調理器は、ケーシング１内に設けられ、被加熱物９を収容する加熱庫１０と、この被加熱物９を加熱するためのマイクロ波を発生するマグネトロン１１と、このマイクロ波を加熱庫１０内に放射する回転アンテナ１２と、この回転アンテナ１２を回転駆動する回転アンテナ用モータ１３と、加熱庫１０に取り付けられ、被加熱物９の解凍状態を検出するための解凍センサ１４とを備えている。なお、マグネトロン１１は本発明の高周波発生装置の一例であり、回転アンテナ用モータ１３は駆動部の一例である。
【００２９】
上記加熱庫１０の一側方には電装品室２０を設け、この電装品室２０内にマグネトロン１１を配置している。このマグネトロン１１は、マグネトロン本体部１３と、このマグネトロン本体部１３が発振したマイクロ波を導波管１７内に放射するマグネトロンアンテナ１６とを有している。また、上記マグネトロン１１の後側（操作パネル５側とは反対側）には冷却ファン１９を配置している。この冷却ファン１９が起こした冷却風によって、マグネトロン１１を冷却できるようになっている。
【００３０】
上記加熱庫１０の下方にはアンテナ収容部１８を設け、このアンテナ収容部１８内に回転アンテナ１２を回転可能に収容している。この回転アンテナ１２は複数の貫通孔を有する略円板形状であり、回転アンテナ１２の略中央部には軸部１２ａが設けられている。軸部１２ａは回転アンテナ用モータ１３の回転軸１３ａに連結されている。また、アンテナ収容部１８内の空間は導波管１７内の空間と連通している。
【００３１】
上記解凍センサ１４は、被加熱物９の載置場所の上方に位置するように加熱庫１０に取り付けられ、加熱庫１０内のマイクロ波の電界強度を検出する。
【００３２】
より詳しくは、図３に示すように、解凍センサ１４はセンサ基板２１および検出アンテナ２２を有している。検出アンテナ２２は加熱庫１０の上部の貫通孔１０ａに挿通されており、先端が加熱庫８内に入っている。また、図示しないが、解凍センサ１４は取付部材を介して貫通孔１０ａの周辺部に取り付けられ、センサ基板２１にはサーミスタが設けられている。また、解凍センサ１４と貫通孔１０ａの周辺部との間はシールされている。
【００３３】
図４は上記加熱調理器の制御ブロック図である。
【００３４】
上記加熱調理器は、マイクロコンピュータと入出力回路などからなる制御装置１００を電装品室２０内に備えている。制御装置１００には、操作パネル５、マグネトロン１１、回転アンテナ用モータ１３、解凍センサ１４、冷却ファン用モータ２４、扉開閉センサ２５および庫内温度センサ２３などが接続されている。制御装置１００は、操作パネル５、解凍センサ１４、扉開閉センサ２５および庫内温度センサ２３からの信号に基づいて、マグネトロン１１、回転アンテナ用モータ１３および冷却ファン用モータ２４などを制御する。なお、庫内温度センサ２３としては例えば赤外線温度センサが用いられる。
【００３５】
上記解凍センサ１４からの信号は、回転アンテナ１２が回転していると、図５に示すように、波形が周期的に大きく変化する一方、回転アンテナ１２が停止していると、図６に示すように、波形が大きく変化しない。このような波形の違いがあるので、回転アンテナ１２の停止は、解凍センサ１４からの信号に基づけば、検知できる。
【００３６】
図７は、上記制御装置１００の制御を説明するためのフローチャートである。この制御は、扉２が閉まった状態で、ユーザがダイヤル８を回して所望の加熱時間を設定すると開始する。
【００３７】
上記制御がスタートすると、まず、ステップＳ１１で、マグネトロン１１および回転アンテナ用モータ１３を駆動する。
【００３８】
次に、ステップＳ１２で、解凍センサ１４からの信号に基づいて、回転アンテナ１２が停止しているか否かを検知する。このステップＳ１２で、回転アンテナ１２の回転（非停止）を検知すると、ステップＳ１３に進む。一方、ステップＳ１２で、回転アンテナ１２の停止を検知すると、ステップＳ２１に進む。なお、ステップＳ１２は動作状態検知部の一例である。
【００３９】
次に、ステップＳ１３で、ユーザがダイヤル８で設定した加熱時間が経過したか否かを判定する。このステップＳ１３で、ユーザがダイヤル８で設定した加熱時間が経過したと判定すると、次のステップＳ１４に進む。一方、ステップＳ１３で、ユーザがダイヤル８で設定した加熱時間が経過していないと判定すると、ステップＳ１２に戻る。なお、上記加熱時間の経過は、制御装置１００が有するタイマ（図示せず）を用いて判定される。
【００４０】
次に、ステップＳ１４で、マグネトロン１１および回転アンテナ用モータ１３を停止する。
【００４１】
最後に、ステップＳ１５で、被加熱物９の加熱が終了したことをユーザに報知するための終了音をスピーカ（図示せず）に出力して、上記制御がエンドになる。なお、上記スピーカは操作パネル５に設けられている。
【００４２】
また、上記ステップＳ１２で、回転アンテナ１２の停止が検知されて、ステップＳ２１に進んだ場合、ステップＳ２１で、マグネトロン１１および回転アンテナ用モータ１３を非常停止する。なお、ステップＳ２１は非常停止部の一例である。
【００４３】
上記ステップＳ２１の後は、ステップＳ２２で、回転アンテナ１２に問題が発生していることをユーザに報知するための警告音を上記スピーカに出力して、上記制御がエンドになる。なお、ステップＳ２２は問題発生報知部の一例である。
【００４４】
このように、上記解凍センサ１４が出力した信号に基づいて、回転アンテナ１２の回転，停止を検知できるので、回転アンテナ１２の回転，停止を検知するためだけのセンサを加熱庫１０に取り付けなくてもよい。したがって、上記加熱調理器の製造コストを低減できる。
【００４５】
また、上記回転アンテナ１２の回転，停止を検知するためだけのセンサを加熱庫１０に取り付けない分、加熱庫１０周辺の空きスペースが増える。その結果、上記空きスペースに他の部品を設置できるので、設計の自由度が高い。
【００４６】
また、上記解凍センサ１４の加熱庫１０への取付は、検出アンテナ２２が加熱庫１０の上部の貫通孔１０ａに挿通されるように行えばよい。すなわち、加熱庫１０に対する解凍センサ１４の位置決めは高精度を必要としない。したがって、加熱庫１０に解凍センサ１４を取り付けは容易で、この取り付けの作業性は良好である。
【００４７】
また、上記回転アンテナ１２の停止が検知されたときには、マグネトロン１１を非常停止するので、回転アンテナ１２が停止している状態で、被加熱物９の加熱が継続しないようにして、被加熱物９の局所加熱を防ぐことができる。
【００４８】
また、上記回転アンテナ１２の停止が検知されたときには、警告音が鳴るので、ユーザにメンテナンスを促し、安全性を高めることができる。
【００４９】
上記実施形態では、加熱庫１０の下方に回転アンテナ１２を配置していたが、加熱庫１０の側方に回転アンテナ１２を配置してもよい。
【００５０】
上記実施形態では、略円板形状の回転アンテナ１２を用いていたが、例えば上面視が略Ｌ字形状を呈する回転アンテナを用いてもよい。すなわち、本発明の回転アンテナの形状は、上記実施形態に限定されず、様々である。
【００５１】
上記実施形態では、加熱庫１０の上部に解凍センサ１４を取り付けていたが、加熱庫１０の例えば側部に解凍センサ１４を取り付けてもよい。
【００５２】
上記実施形態において、回転アンテナ１２の数を複数にしてもよいが、製造コストを低減する観点から、回転アンテナ１２の数は１個が最も好ましい。
【００５３】
上記実施形態において、解凍センサ１４の数を複数にしてもよいが、製造コストを低減する観点から、解凍センサ１４の数は１個が最も好ましい。
【００５４】
上記実施形態において、解凍センサ１４は被加熱物９の解凍状態のみを検知するセンサとして用いると共に、回転アンテナ１２の回転，停止を検知するためだけの電界センサを加熱庫１０に例えば１個取り付けてもよい。すなわち、解凍センサ１４とは別に、回転アンテナ１２の回転，停止を検知するためだけの電界センサを加熱庫１０に１個または複数取り付けてもよい。
【００５５】
本発明の加熱調理器としては、例えば、過熱水蒸気を使用するオーブンレンジまたはレンジや、過熱水蒸気を使用しないオーブンレンジまたはレンジなどがある。
【００５６】
本発明の加熱調理器において、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱室内は過熱水蒸気または飽和水蒸気が充満して低酸素状態となることにより、食品の酸化を抑制した調理が可能となる。ここで、低酸素状態とは、加熱室内において酸素の体積％が１０％以下(例えば０．５〜３％)である状態を指す。
【００５７】
本発明の具体的な実施形態について説明したが、本発明は上記実施形態に限定されるものではなく、本発明の範囲内で種々変更して実施することができる。
【符号の説明】
【００５８】
１…ケーシング
２…扉
９…被加熱物
１０…加熱庫
１１…マグネトロン
１３…回転アンテナ用モータ
１４…解凍センサ
１５…マグネトロン本体
１６…マグネトロンアンテナ
２１…センサ基板
２２…検出アンテナ
１００…制御装置
【図１】
2012102885.tif 000003
【図２】
2012102885.tif 000004
【図３】
2012102885.tif 000005
【図４】
2012102885.tif 000006
【図５】
2012102885.tif 000007
【図６】
2012102885.tif 000008
【図７】
2012102885.tif 000009